(57)【要約】【課題】この発明は、簡易な構成で、且つ、簡便にして容易な保管管理を実現し、生産効率の向上を図り得るようにすることにある。【解決手段】電池の正極と接触するための正極用接片部１０と電池の負極と接触するための負極用接片部１１とを切断部１２を介して分離可能に一体的に形成し、これら正極用接片部１０及び負極用接片部１１を切断部１２より分離して電池収容室２０に組付け配置するように構成し、所期の目的を達成した。【選択図】　　図１
2004022201.tif 000002
【特許請求の範囲】
【請求項１】
電池の正極と接触するための第１の接片部と上記電池の負極と接触するための第２の接片部とを一体的に形成したことを特徴とする電池接片。
【請求項２】
上記第１及び第２の接片部は、線材よりなることを特徴とする請求項１記載の電池接片。
【請求項３】
上記第２の接片部は、ばね部を有することを特徴とする請求項１又は２記載の電池接片。
【発明の詳細な説明】
【０００１】
【発明の属する技術分野】
この発明は、カメラ等の電子機器に係り、特にその電池収容室に配される電池接片に関する。
【０００２】
【従来の技術】
一般に、電子機器においては、内部機器を機器筐体内に収容配置して、この内部機器を、機器筐体に配した電池収容室に収容した電池を駆動源として動作制御する構成のものがある。このような電子機器は、その電池収容室内に電池の正極と接触するための正極用接片部、及び電池の負極と接触するための負極用接片部を分離配置し、これら正極用接片部及び負極用接片部を介して電池収容室に収容された電池の電力を内部機器に供給している。
【０００３】
ところで、このような電子機器は、その製造方法として、予め、多数の構成部品を用意しておいて、その構成部品を順に機器筐体に組付けることにより行われる。このため、電子機器の製造に当たっては、多数の構成部品を保管管理するのが、非常に煩雑なものとなっている。
【０００４】
このような保管管理が煩雑な構成部品の対象として、特に電池接片がある。この電池接片は、正極用接片部と、負極用接片部とを、対として機器筐体の電池収容室に配することとなるために、その数が非常に多数となる。
【０００５】
このため、上記電池接片にあっては、対を構成する正極用接片部と、負極用接片部との数が合わなくなったりする虞があり、その保管管理が、非常に煩雑なものとなっている。
【０００６】
【発明が解決しようとする課題】
以上述べたように、従来の電池接片では、必ず、正極用接片部と負極用接片部とが対となるために、その保管管理が煩雑であるという問題を有する。
【０００７】
この発明は上記の事情に鑑みてなされたもので、簡易な構成で、且つ、簡便にして容易な保管管理を実現し、生産効率の向上を図り得るようにした電池接片を提供することを目的とする。
【０００８】
【課題を解決するための手段】
この発明の電池接片は、電池の正極と接触するための第１の接片部と上記電池の負極と接触するための第２の接片部とを一体的に形成して構成した。
【０００９】
上記構成によれば、電池収容室に組付ける際、第１の接片部と第２の接片部を分離して、それぞれを電池収容室の所望の位置に取付け配置する。これにより、保管部品点数の削減が図れると共に、部品紛失の防止が図れて、その簡便な保管管理が可能となる。
【００１０】
また、この発明は、上記第１及び第２の接片部を、線材で形成するように構成した。これによれば、簡便にして容易な接片製作が可能となる。
【００１１】
【発明の実施の形態】
以下、この発明の実施の形態について、図面を参照して詳細に説明する。
【００１２】
図１は、この発明の一実施の形態に係る電池接片を示すもので、例えばＳＷＣ（硬鋼線）や、心材をバネ用高炭素鋼で形成して、その表層に銅メッキを施したＣＰ線と称する線材で形成される。この線材の一端には、電池の正極と接触するための正極用接片部（第１の接片部）１０が設けられる。線材の他端に上記電池の負極と接触するための負極用接片部（第２の接片部）１１が設けられる。これら正極用接片部１０及び負極用接片部１１は、切断部１２を介して一体的に連結されて形成される。
【００１３】
即ち、正極用接片部１０は、一端部に正極接点１０１及び位置決め用突部１０２を有した電池接続端１０３が設けられ、その他端部に外部接続リード１０４が設けられる。この電池接続部１０３と外部接続リード１０４との間は、後述する電池収容室２０（図４及び図５参照）内での配線空間を考慮して曲げ部１０５が適宜に形成される。
【００１４】
他方の負極用接片部１１は、その一端部に渦巻き状のばね部１１１及び負極接点１１２を有した電池接続端１１３が設けられ、その他端部に外部接続リード１１４で形成される。この電池接続部１１３と外部接続リード１１４との間は、電池収容室２０（図４及び図５参照）の外部側における構成部品の逃げを考慮して曲げ部１１５が適宜に形成される。そして、これら正極用接片部１０及び負極用接片部１１の外部接続リード１０４、１１４が上記切断部１２を介して分離可能に一体的に連結されて形成される。
【００１５】
上記正極用接片部１０及び負極用接片部１１は、保管管理時、互いの外部接続リード１０４、１１４同士が上記切断部１２を介して連結された一体化された状態で保管される。これにより、保管時の部品点数の削減が図れると共に、部品紛失の防止が図れる。そして、後述するように電子機器、例えばカメラの上記電池収容室２０に組付け際に、正極用接片部１０及び負極用接片部１１は、その外部接続リード１０４、１１４同士を連結する切断部１２より切断して、分離されて組付けられる。
【００１６】
ここで、この発明の特徴とする正極用接片部１０及び負極用接片部１１を切断部１２を介して一体的に形成した電池接片を、図２及び図３に示すカメラに適用した場合について説明する。
【００１７】
即ち、カメラ本体２１の内装されるカメラ外装２２の前面には、撮影レンズ２３、ファインダ２４、ストロボ発光部２５が配される。そして、このカメラ外装２２の前面には、バリア２６が上記撮影レンズ２３及びファインダ２４を覆う閉位置と、撮影レンズ及びファインダを撮影可能に開放する開位置に移動自在に配される。
【００１８】
また、カメラ外装２２には、その上面部にレリーズ釦２７等が配され、その側壁部に電池蓋２８が上記カメラ本体２１に配される上記電池収容室２０に対して丁番２９を介して開閉自在に設けられる。このようにカメラ本体２１に設けられた電池収容室２０に対して上記切断部１２を介して一体的に形成された正極用接片部１０及び負極用接片部１１が組付けられる。
【００１９】
上記正極用接片部１０及び負極用接片部１１は、組付け作業の前の保管時、切断部１２を介して一体的に連結された状態で保管管理され、上記電池収容室２０に組付ける場合に、その切断部１２より切断されて分離される。
【００２０】
このうち正極用接片部１０は、図４及び図５に示すようにその電池接続端１０３が曲げ部１０５を利用してカメラ本体２１の電池収容室２０の外側より、該電池収容室２０の上面部に設けられる挿通孔２０１に挿入されて電池収容室内に収容して、その位置決め用突部１０２を電池収容室２０の下端部に設けられる係止孔２０２に挿入する。これにより、正極用接片部１０は、その正極接点１０２が、電池収容室２０の下端部の所定の位置に位置決めされて組付けられる。ここで、この正極用接片部１０の外部接続リード１０４が、電池収容室２０の外部側に配され、図示しない電力供給部の正極側に電気的に接続される。
【００２１】
他方の負極用接片部１１は、図６及び図７に示すようにその電池接続端１１３のばね部１１１の基端が電池収容室２０の上端側に設けられた保持溝２０３に挿入される。すると、負極用接片部１１は、ばね部１１１の基端部が電池収容室２０の保持溝２０３に位置規制され、その負極接点１１２が電池収容室２０の上端部に上記正極用接片部１０の正極接点１０１に対向して位置決めされる。ここで、負極用接片部１１の外部接続リード１１４が、電池収容室２０の外部側に配され、上記電力供給部（図示せず）の負極側に電気的に接続される。
【００２２】
ここで、正極接点１０１及び負極接点１１２は、電池収容室２０内において、図８及び図９に示すように互いに対向され、図示しない電池が、その正極及び負極を対向させて挿入されると、負極接点１１２のばね部１１１が弾性変形して収容され、その収容状態で、該電池の正極及び負極に接触されて電気的に接続される。この際、負極接点１１２は、そのばね部１１１により、上記電池（図示せず）の負極を正極方向に押圧して相互間の確実な接触が行われる。
【００２３】
このように、上記電池接片は、電池の正極と接触するための正極用接片部１０と電池の負極と接触するための負極用接片部１１とを切断部１２を介して分離可能に一体的に形成し、これら正極用接片部１０及び負極用接片部１１を切断部１２より分離して電池収容室２０に組付け配置するように構成した。
【００２４】
これによれば、電池収容室２０に組付ける際、正極用接片部１０と負極用接片部１１とを分離して、それぞれを電池収容室２０の所望の位置に取付け配置することにより、保管時の部品点数の削減が図れると共に、その部品紛失の防止が図れて、簡便な保管管理が可能となる。
【００２５】
そして、上記正極用接片部１０及び負極用接片部１１を線材で形成することにより、簡便にして容易な製作が可能となる。
【００２６】
なお、上記実施の形態では、正極用接片部１０の外部接続リード１０４と負極用接片部１１の外部接続リード１１５とを切断部１２を介して連結して一体的に形成するように構成した場合で説明したが、この配列構造に限ることなく、その他、図１０及び図１１に示すように構成することも可能で、同様の効果が期待される。但し、図１０及び図１１においては、上記図１と同一部分について同一符号を付して、その詳細な説明を省略する。
【００２７】
図１０の実施の形態は、正極用接片部１０の位置決め用突部１０２と負極用接片部１１の負極接点１１２とを切断部１２を介して分離可能に一体的に形成する。これにより、同様に正極用接片部１０及び負極用接片部１１を切断部１２１を介して連結させた状態で保管管理し、電池収容室２０への組付け時に、切断部１２より切断して分離し、同様に組付けが行われる。
【００２８】
また、図１１の実施の形態では、正極用接片部１０の外部接続リード１０４と負極用接片部１１の負極接点１１２とを切断部１２を介して分離可能に一体的に形成する。これにより、同様に正極用接片部１０及び負極用接片部１１を切断部１２を介して連結させた状態で保管管理し、電池収容室２０への組付け時に、切断部１２より切断して分離し、同様に組付けが行われる。
【００２９】
なお、正極用接片部１０及び負極用接片部１１を切断可能に連結する部位としては、上記各実施の形態に限ることなく、その他の組合わせ配置も構成可能である。
【００３０】
また、上記各実施の形態では、線材を用いて構成した場合で説明したが、これに限ることなく、その他、図１２及び図１３に示すように板材を用いて構成することも可能である。但し、この図１２及び図１３の説明においては、説明の便宜上、上記図２乃至図９に示す電池収容室２０に組付け配置するものとして説明する。
【００３１】
即ち、図１２においては、板材の一端部に正極用接片部３０を形成して、他端部に負極用接片部３１を切断部３２を介して分離可能に一体的に形成する。このうち正極用接片部３０は、正極接点を構成する電池接続端３０１及び外部接続リード３０２が曲げ部３０３を介して設けられ、その電池接続端３０１には、位置決め用突部３０４が設けられる。
【００３２】
他方の負極用接片部３１には、上記電池収容室２０の保持溝２０３に嵌入される嵌合部３１１、該嵌合部３１１に対してばね部である弾性部３１２を介して弾性変形自在に設けられる突状の負極接点３１３を有した電池接続端３１４及び外部接続リード３１５が一体的に形成される。そして、これら正極用接片部３０及び負極用接片部３１は、互いの外部接続リード３０２、３１５が上記切断部３２を介して切断可能に連結されて一体的に形成される。
【００３３】
上記構成により、正極用接片部３０及び負極用接片部３１は、保管時、切断部３２を介して一体的に連結した状態で管理される（図１２参照）。そして、電池収容室２０に組付ける場合には、切断部３２より切断されて正極用接片部３０及び負極用接片部３１が分離される（図１３（ａ）（ｂ）参照）。
【００３４】
このうち正極用接片部３０は、その外部接続リード３０２が上記カメラ本体２１の電池収容室２０の内部側より、該電池収容室２０に設けた挿通孔２０１に挿入して電池収容室２０外に導き、その電池接続端３０１を電池収容室２０の下端部に配すると共に、この電池接続端３０１の位置決め用突部３０４を電池収容室２０の係止孔２０２に挿入する。これにより、正極用接片部３０は、その電池接続端３０１が、電池収容室２０内の所定の位置に位置決めされて組付けられる。ここで、この正極用接片部３０の外部接続リード３０２が、電池収容室２０の外部側に配され、図示しない電力供給部の正極側に電気的に接続される。
【００３５】
他方の負極用接片部３１は、その嵌合部３１１が電池収容室２０の上端部に設けた保持溝２０３に挿入される。すると、負極用接片部３１は、その嵌合部３１１が電池収容室２０の保持溝２０３に位置規制され、その負極接点３１３が弾性部３１２を介して弾性変形可能に電池収容室２０内に上記正極用接片部３０の電池接続端３０１に対向して位置決めされる。ここで、負極用接片部３１の外部接続リード３１５が、電池収容室２０の外部側に配され、上記電力供給部（図示せず）の負極側に電気的に接続される。
【００３６】
ここで、電池接続端３０１及び負極接点３１３は、電池収容室２０内において、互いに対向され、図示しない電池が、その正極及び負極を対向させて挿入されると、その負極接点３１３の弾性部３１２が弾性変形して収容され、その収容状態で、該電池の正極及び負極に接触されて電気的に接続される。この際、負極接点３１３は、弾性部３１２により、上記電池（図示せず）の負極を正極方向に押圧して相互間の確実な接触が行われる。
【００３７】
なお、この図１２及び図１３に示す実施の形態においても、正極用接片部３０及び負極用接片部３１を構成する各部の配列構造に関しては、上記実施の形態で説明した配列構造に限ることなく、その他、各種の配列構造が構成可能である。
【００３８】
また、上記各実施の形態では、電子機器としてカメラに適用した場合で説明したが、これに限ることなく、その他の電子機器においても適用可能であり、同様の効果が期待される。
【００３９】
よって、この発明は、上記実施の形態に限ることなく、その他、実施段階ではその要旨を逸脱しない範囲で種々の変形を実施し得ることが可能である。さらに、上記実施形態には、種々の段階の発明が含まれており、開示される複数の構成要件における適宜な組合せにより種々の発明が抽出され得る。
【００４０】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００４１】
また、この発明によれば、上述した実施の形態に基づいて
（１）正極用接続端と外部接続リードとを有する第１の接片部と、負極用接続端と外部接続リードとを有する第２の接片部とを分離配置可能に一体的に形成したことを特徴とする電池接片を提供することができる。
【００４２】
（２）上記（１）の記述の第２の接片部の負極用接続端は、ばね部を有することを特徴とする電池接片を提供することができる。
【００４３】
【発明の効果】
この発明によれば、簡易な構成で、且つ、簡便にして容易な保管管理を実現し、生産効率の向上を図り得るようにした電池接片を提供することができる。
【図面の簡単な説明】
【図１】この発明の一実施の形態に係る電池接片を示した斜視図である。
【図２】この発明の適用されるカメラの外観を示した斜視図である。
【図３】図２の電池蓋の開状態を示した斜視図である。
【図４】図１の正極用接片部の電池収容室への組付け動作を説明するために一部を分解して示した分解斜視図である。
【図５】図４の正極用接片部の電池収容室への組付け状態を外観から示した斜視図である。
【図６】図１の負極用接片部の電池収容室への組付け動作を説明するために一部を分解して示した分解斜視図である。
【図７】図６の負極用接片部の電池収容室への組付け状態を外観から示した斜視図である。
【図８】図１の正極用接片部及び負極用接片部の電池収容室への組付け状態を負極接点側から見た状態を示した斜視図である。
【図９】図１の正極用接片部及び負極用接片部の電池収容室への組付け状態を正極接点側から見た状態を示した斜視図である。
【図１０】この発明の他の実施の形態に係る電池接片を示した斜視図である。
【図１１】この発明の他の実施の形態に係る電池接片を示した斜視図である。
【図１２】この発明の他の実施の形態に係る電池接片を示した斜視図である。
【図１３】図１２の正極用接片部と負極用接片部を切断部より切断した状態を示した斜視図である。
【符号の説明】
１０　…　正極用接片部
１０１　…　正極接点
１０２　…　位置決め用突部
１０３　…　電池接続端
１０４　…　外部接続リード
１０５　…　曲げ部
１１　…　負極用接片部
１１１　…　ばね部
１１２　…　負極接点
１１３　…　電池接続端
１１４　…　外部接続リード
１１５　…　曲げ部
１２　…　切断部
２０　…　電池収容室
２０１　…　挿通孔
２０２　…　係止孔
２０３　…　保持溝
２１　…　カメラ本体
２２　…　カメラ外装
２３　…　撮影レンズ
２４　…　ファインダ
２５　…　ストロボ発光部
２６　…　バリア
２７　…　レリーズ釦
２８　…　電池蓋
２９　…　丁番
３０　…　正極用接片部
３０１　…　電池接続端
３０２　…　外部接続リード
３０３　…　曲げ部
３０４　…　位置決め用突部
３１　…　負極用接片部
３１１　…　嵌合部
３１２　…　弾性部
３１３　…　負極接点
３１４　…　電池接続端
３２　…　切断部
【図１】
2004022201.tif 000003
【図２】
2004022201.tif 000004
【図３】
2004022201.tif 000005
【図４】
2004022201.tif 000006
【図５】
2004022201.tif 000007
【図６】
2004022201.tif 000008
【図７】
2004022201.tif 000009
【図８】
2004022201.tif 000010
【図９】
2004022201.tif 000011
【図１０】
2004022201.tif 000012
【図１１】
2004022201.tif 000013
【図１２】
2004022201.tif 000014
【図１３】
2004022201.tif 000015